(57)【要約】【課題】車両搭乗者にとっての利便性を向上すること。【解決手段】指示処理部４３０は、分割画面２１０，２２０のうち制御対象である分割画面の輝度を切り替える映像処理を指示する信号を、映像処理部６１０，６２０のいずれかに出力する。この指示信号を入力された映像処理部６１０，６２０は、分割画面２１０，２２０のうち制御対象である分割画面上に表示される映像の輝度を、制御対象でない分割画面上に表示される映像の輝度よりも高くする画質調整を行う。これにより、搭乗者は、分割画面２１０，２２０のうち制御対象となっている分割画面を容易に識別することができるようになる。【選択図】図１
2007295047.tif 000002
【特許請求の範囲】
【請求項１】
異なるコンテンツソースからの映像を複数の分割画面に同時に表示させる表示手段と、
前記複数の分割画面のいずれかの分割画面の表示映像の表示形態を他の分割画面の表示映像の表示形態と相違させる調整を行う調整手段と、
を具備する映像処理装置。
【請求項２】
前記調整手段は、
前記いずれかの分割画面の表示映像の輝度を、前記他の分割画面の表示映像の輝度よりも高くする輝度調整を行う、
請求項１記載の映像処理装置。
【請求項３】
前記調整手段は、
前記いずれかの分割画面の表示映像の輝度を、前記他の分割画面の表示映像の輝度よりも低くする輝度調整を行う、
請求項１記載の映像処理装置。
【請求項４】
複数の分割画面に同時に表示される映像を制御する映像制御装置であって、
前記複数の分割画面のいずれかの分割画面を選択する選択手段と、
選択される分割画面の表示映像の表示態様を他の分割画面の表示映像の表示態様と相違させる制御を行う制御手段と、
を具備する映像制御装置。
【請求項５】
異なるコンテンツソースからの映像を複数の分割画面に同時に表示させる表示ステップと、
前記複数の分割画面のいずれかの分割画面の表示映像の表示形態を他の分割画面の表示映像の表示形態と相違させる調整を行う調整ステップと、
を具備する映像処理方法。
【発明の詳細な説明】
【技術分野】
【０００１】
本発明は、映像処理装置、映像制御装置および映像処理方法に関する。
【背景技術】
【０００２】
背景技術として、車載ディスプレイを利用して搭乗者がテレビやビデオ、ＤＶＤ（Digital Versatile Disk）などを視聴できるよう構成されたシステムがある。また、横長のディスプレイに対して横方向に合成されたカメラ画像を表示させるシステムが知られている（例えば、特許文献１を参照）。
【特許文献１】特開２００１−１１４０４８号公報
【発明の開示】
【発明が解決しようとする課題】
【０００３】
近年、各搭乗者が自らの好みに合ったコンテンツを視聴可能なシステムが望まれている。背景技術によれば、横長のディスプレイに対して横方向に合成されたテレビ番組や映画などを表示させることによって、各搭乗者に対してそれぞれ異なるコンテンツを視聴させることが可能になる。もっとも、横長のディスプレイに対して横方向に合成されたテレビ番組や映画などを表示させるだけでは、各搭乗者は、自らの好みに合ったコンテンツを視聴することができない。搭乗者全員にとっての利便性という点で、背景技術を組み合わせただけでは一定の限界がある。
【０００４】
本発明は、かかる点に鑑みてなされたものであり、車両搭乗者にとっての利便性を向上することができる映像処理装置、映像制御装置および映像処理方法を提供することを目的とする。
【課題を解決するための手段】
【０００５】
本発明の映像処理装置は、異なるコンテンツソースからの映像を複数の分割画面に同時に表示させる表示手段と、前記複数の分割画面のいずれかの分割画面の表示映像の表示形態を他の分割画面の表示映像の表示形態と相違させる調整を行う調整手段と、を具備する構成を採る。
【０００６】
本発明の映像制御装置は、複数の分割画面に同時に表示される映像を制御する映像制御装置であって、前記複数の分割画面のいずれかの分割画面を選択する選択手段と、選択される分割画面の表示映像の表示態様を他の分割画面の表示映像の表示態様と相違させる制御を行う制御手段と、を具備する構成を採る。
【０００７】
本発明の映像処理方法は、異なるコンテンツソースからの映像を複数の分割画面に同時に表示させる表示ステップと、前記複数の分割画面のいずれかの分割画面の表示映像の表示形態を他の分割画面の表示映像の表示形態と相違させる調整を行う調整ステップと、を具備するようにした。
【発明の効果】
【０００８】
本発明によれば、車両搭乗者にとっての利便性を向上することができる。
【発明を実施するための最良の形態】
【０００９】
以下、本発明の実施の形態について、図面を参照して詳細に説明する。
【００１０】
図１は、本発明の一実施の形態に係るＡＶ（audio visual）システム１００の構成を示すブロック図である。このＡＶシステム１００は、プログラムを記録する記録媒体（図示せず）、このプログラムを実行させるＣＰＵ（Central Processing Unit）（図示せず）、このプログラムを無線通信により受信する通信系統（図示せず）などとともに、車両に搭載することができる。
【００１１】
図１において、ＡＶシステム１００は、ワイドディスプレイ２００、リモコン３１０，３２０、受光部３３０、ＥＳＷ（エスカッションスイッチ）３４０、制御装置４００、コンテンツ入力ソース５００、ソースセレクタ５１０，５２０、映像処理装置６００、音声合成部７１０、およびスピーカ７２０を備える。
【００１２】
表示装置としてのワイドディスプレイ２００は、映像を表示する画面２３０を有する。画面２３０は、ある画面モードでは、映像処理装置６００から入力される映像信号を、画面２３０の全領域または部分領域に、１画面表示の形態で表示し、他の画面モードでは、映像処理装置６００からの映像信号を、画面２３０上に、２画面表示の形態で表示する。２画面表示の場合、画面２３０の全領域を例えば境界部（図中の破線）を基準として左右に２分割してなる分割画面２１０および分割画面２２０に、それぞれ映像が表示される。したがって、画面２３０は、２つの映像ソースからそれぞれ得られる２つの映像を横に並べて表示するのに適した横長の形状を有する。
【００１３】
なお、全実施の形態の説明全体を通して用いられる「映像」なる語は、フレームを基本単位として生成、伝送または処理される信号（映像信号）の、画面２３０上での視覚的表現の総称を意味するものである。また、本実施の形態では、画面２３０を左右に２分割して２つの分割画面２１０、２２０を形成している、つまり分割画面表示の一例として２画面表示が用いられているが、分割画面の個数およびその形態は、前述のものだけに限定されない。
【００１４】
また、ワイドディスプレイ２００は、音声出力デバイスとしてのヘッドフォン出力端子２４０，２５０を備える。ヘッドフォン出力端子２４０，２５０は、ヘッドフォン（図示せず）に接続可能であり、音声合成部７１０から入力される音声信号をヘッドフォン側に出力する。この音声信号は、ヘッドフォンから音声として出力される。なお、ヘッドフォン出力端子２４０，２５０を、図示されているようにワイドディスプレイ２００の本体に設ける代わりに、ＡＶシステム１００内の他の適切な個所に設けてもよい。
【００１５】
また、ワイドディスプレイ２００は、後で詳しく述べる制御装置４００または映像処理装置６００の全体または一部と一体化して表示装置または表示システムを構成することができる。
【００１６】
リモコン３１０，３２０は、搭乗者の手動操作が可能となるよう構成され、手動操作に応じてコマンドを生成し、生成した操作コマンドを、無線信号、例えば赤外線信号に変換して無線送信する。操作コマンドは、画面２３０に表示される映像の制御に用いられるもの、およびヘッドフォン出力端子２４０，２５０に接続されたヘッドフォンまたはスピーカ７２０から出力される音声の制御に用いられるものを含む。例えば、制御対象の映像の選択、制御対象の音声の選択、ソース（ＣＤ／ＤＶＤデッキ、テレビ（ＴＶ）チューナ、外部入力など）の選択、およびＴＶチャンネルの選択などがある。また、操作コマンドは、さらに、ＥＳＷ３４０およびリモコン３１０，３２０の操作に関する情報の設定（例えば、操作権の設定など）に用いられるものを含む。なお、本実施の形態では、２つのリモコン３１０，３２０が使用されるが、リモコンの個数およびリモコンの車室内での設置態様については、特に限定されない。
【００１７】
リモコン３１０，３２０から出力される操作コマンドによれば、分割画面２１０に表示される映像、分割画面２２０に表示される映像、ヘッドフォン出力端子２４０に接続されたヘッドフォンから出力される音声、ヘッドフォン出力端子２５０に接続されたヘッドフォンから出力される音声、およびスピーカ７２０から出力される音声をそれぞれ個別に制御することができる。また、この個別制御は、異なる操作コマンド入力源から得られる操作コマンドに従って実行することができる。
【００１８】
操作コマンドの入力源は、ＥＳＷ３４０自体およびリモコン３１０，３２０自体として定義することもでき、リモコン３１０，３２０、操作時のリモコン３１０，３２０の空間的位置、あるいは、ＥＳＷ３４０またはリモコン３１０，３２０を操作する搭乗者の空間的位置として定義することもできる。
【００１９】
受光部３３０は、リモコン３１０，３２０から送信された赤外線信号を受信し、制御装置４００で処理可能な電気信号に変換して、制御装置４００の操作処理部４２０に出力する。
【００２０】
ＥＳＷ３４０は、例えばワイドディスプレイ２００の枠部などの、車室内の適切な個所に設けられる。ＥＳＷ３４０は、搭乗者の手動操作が可能となるよう構成され、手動操作により生成される操作コマンドを電気信号として生成して制御装置４００の操作処理部４２０に出力する。ＥＳＷ３４０により生成可能な操作コマンドは、リモコン３１０，３２０により生成可能な操作コマンドと同様である。
【００２１】
映像制御装置または音声制御装置としての制御装置４００は、メモリ４１０、操作処理部４２０、および指示処理部４３０を備える。
【００２２】
メモリ４１０は、操作権の設定状況および操作コマンドの定義を示す各種のテーブルを保持する。メモリ４１０が保持する各種のテーブルの設定情報は、リモコン３１０，３２０およびＥＳＷ３４０からの操作コマンド、または搭乗者の着座の検知などにより随時更新されうる。メモリ４１０が保持するテーブルについては、後に詳細に説明する。
【００２３】
操作処理部４２０は、受光部３３０またはＥＳＷ３４０から操作コマンドを受信する。受信した操作コマンドが、表示される映像または出力される音声の制御に用いられるものである場合、操作処理部４２０は、この操作コマンドを指示処理部４３０に出力する。受信した操作コマンドが、ＥＳＷ３４０およびリモコン３１０，３２０の操作に関する情報の設定に用いられるものである場合、操作処理部４２０は、メモリ４１０が保持する各種のテーブルの設定情報の読み取りまたは書き込みを行う。操作処理部４２０は、操作コマンドを受信したとき、必要に応じて、引き続き行われうる手動操作のためのメッセージを映像として表示または音声として出力させるように、指示処理部４３０と共働することができる。
【００２４】
なお、操作処理部４２０、リモコン３１０，３２０、ＥＳＷ３４０または受光部３３０もしくはこれらの組合せにより、ＡＶシステム１００の操作部が構成される。
【００２５】
識別手段または制御手段としての指示処理部４３０は、操作処理部４２０からの操作コマンドを受信および解析する。より具体的には、指示処理部４３０は、操作コマンドの入力源、つまり、ＥＳＷ３４０、リモコン３１０，３２０、もしくはＥＳＷ３４０またはリモコン３１０，３２０を操作した搭乗者の空間的位置の識別を行う。さらに、操作コマンドに示された制御内容の識別およびその有効性の判定を行う。さらに、この制御内容に関連する設定情報の参照および更新を行う。そして、指示処理部４３０は、その解析結果に基づいて指示信号を生成し、生成した指示信号を、ソースセレクタ５１０，５２０の映像ＳＷ（スイッチ）５１１，５２１および音声ＳＷ５１２，５２２、映像処理装置６００の映像処理部６１０，６２０，６４０および映像合成部６３０、ならびに音声合成部７１０の少なくともいずれかに出力し、これにより、音声または映像の制御を実現する。例えば、指示処理部４３０は、分割画面２１０に表示される映像のソースを切り替える場合、ソースセレクタ５１０に対して指示信号を出力する。また、指示処理部４３０は、テレビチューナの選択チャンネルを切り替える場合、その旨を示す指示信号をコンテンツ入力ソース５００に含まれるテレビチューナ（本実施の形態では、テレビチューナ１またはテレビチューナ２）に出力する。指示処理部４３０の機能および動作については、後で詳しく述べる。
【００２６】
コンテンツ入力ソース５００は、ＣＤ／ＤＶＤデッキやテレビ（ＴＶ）チューナ、外部入力などの、コンテンツのソースの集合を示すものである。各ソースからの映像信号は、映像ＳＷ５１１，５２１に出力され、各ソースからの音声信号は、音声ＳＷ５１２，５２２に出力される。本実施の形態では、ソースとして、ＣＤ／ＤＶＤデッキ、テレビ（ＴＶ）チューナ、および外部入力を例示しているが、コンテンツ入力ソース５００には、ＨＤＤ（Hard Disk Drive）やＡＭ／ＦＭチューナなどが含まれていてもよい。
【００２７】
ソースセレクタ５１０は、映像ＳＷ５１１および音声ＳＷ５１２を有する。映像ＳＷ５１１は、コンテンツ入力ソース５００から入力される映像信号を、指示処理部４３０から入力される指示信号に従って選択的に、映像処理装置６００の映像処理部６１０に出力する。音声ＳＷ５１２は、コンテンツ入力ソース５００から入力される音声信号を、指示処理部４３０から入力される指示信号に従って選択的に、音声合成部７１０に出力する。
【００２８】
ソースセレクタ５２０は、映像ＳＷ５２１および音声ＳＷ５２２を有する。映像ＳＷ５２１は、コンテンツ入力ソース５００から入力される映像信号を、指示処理部４３０から入力される指示信号に従って選択的に、映像処理装置６００の映像処理部６２０に出力する。音声ＳＷ５２２は、コンテンツ入力ソース５００から入力される音声信号を、指示処理部４３０から入力される指示信号に従って選択的に、音声合成部７１０に出力する。
【００２９】
ここで、ソースセレクタ５１０は、２画面表示時のデフォルト設定においては、分割画面２１０、ヘッドフォン出力端子２４０および映像処理部６１０とともに１つのＡＶサブシステムを構成する。このＡＶサブシステムは、映像ＳＷ５１１から出力される映像信号が、映像処理装置６００を経由して分割画面２１０上で映像として表示され、音声ＳＷ５１２から出力される音声信号が、音声合成部７１０を経由してヘッドフォン出力端子２４０に接続されるヘッドフォンから音声として出力される。ただし、デフォルト設定が変更された場合はこの限りではない。
【００３０】
また、ソースセレクタ５２０は、２画面表示時のデフォルト設定においては、分割画面２２０、ヘッドフォン出力端子２５０および映像処理部６２０とともに１つのＡＶサブシステムを構成する。このＡＶサブシステムは、映像ＳＷ５２１から出力される映像信号が、映像処理装置６００を経由して分割画面２２０上で映像として表示され、音声ＳＷ５２２から出力される音声信号が、音声合成部７１０を経由してヘッドフォン出力端子２５０に接続されるヘッドフォンから音声として出力される。ただし、デフォルト設定が変更された場合はこの限りではない。
【００３１】
映像処理装置６００は、映像処理部６１０，６２０，６４０、および映像合成部６３０を備える。
【００３２】
映像処理部６１０は、映像ＳＷ５１１からの映像信号に所定の映像処理を行って映像合成部６３０に出力する。また、映像処理部６２０は、映像ＳＷ５２１からの映像に所定の映像処理を行って映像合成部６３０に出力する。映像処理部６１０，６２０の映像処理には、例えば、輝度、解像度、明度、彩度および色相の調整などが含まれる。このように、映像処理部６１０，６２０は、異なるソースセレクタ５１０，５２０（映像ＳＷ５１１，５２１）から入力される映像信号に対して、異なる映像処理を行うことができる。映像処理部６１０および映像処理部６２０における映像処理は、指示処理部４３０から入力される指示信号により制御することができる。
【００３３】
映像処理部６１０は、映像処理部６１０の映像信号から得られいずれかの分割画面上に表示される映像の表示態様を、映像処理部６２０の映像信号から得られる映像の表示態様と相違させる画質調整を行う。映像処理部６２０は、映像処理部６２０の映像信号から得られいずれかの分割画面上に表示される映像の表示態様を、映像処理部６１０の映像信号から得られる映像の表示態様と相違させる画質調整を行う。この画質調整は、指示処理部４３０からの指示信号に従って制御される。この画質調整により、搭乗者、特にリモコン３１０，３２０またはＥＳＷ３４０を操作している搭乗者が、２つの分割画面２１０，２２０のうち制御対象となっている分割画面を容易に識別することができるようになる。
【００３４】
映像合成部６３０は、映像処理部６１０からの映像信号と、映像処理部６２０からの映像信号とを、合成する。この合成は、指示処理部４３０から入力される指示信号により要求されているときに実行される。なお、合成された映像信号は、画面２３０上で２画面表示の形態（つまり、いずれかの映像信号がいずれかの分割画面に表示される形態）で表示されることとなる。また、これらの映像信号をどのように合成するかについても、指示信号により制御することができる。合成が要求されていないときは、映像合成部６３０は、指示信号に従って、映像処理部６１０または映像処理部６２０からの映像信号を、映像処理部６４０に出力する。
【００３５】
また、映像合成部６３０は、映像処理部６１０から入力される映像信号と映像処理部６２０から入力される映像信号とが、２画面表示の形態で画面２３０上に表示されているときに、これらの映像信号（換言すれば、それぞれの映像信号を含むコンテンツ）が同一となる場合、いずれかの映像処理部からの映像信号のみを映像処理部６４０に出力することにより、画面２３０上の映像表示形態を２画面表示から１画面表示に切り替えさせる。なお、同一映像の２画面表示の検出は、映像処理装置６００内で行われてもよいし、指示処理部４３０から入力される指示信号により映像合成部６３０に通知されてもよい。
【００３６】
さらに、映像合成部６３０は、合成が要求されていないときに、映像処理部６４０に出力すべき映像信号が３−２プルダウンを施されたものか否かを検出する。出力すべき映像信号が３−２プルダウンであることが検出された場合、指示信号に従って、映像の表示形態がワイド１画面フル表示となるように映像信号を変換してから映像処理部６４０に出力する。
【００３７】
映像処理部６４０は、映像合成部６３０からの映像信号に所定の映像処理を行って、処理後の映像信号を出力して、この映像信号を、１画面表示または２画面表示の形態で、画面２３０上に表示させる。この映像処理は、指示処理部４３０から入力される指示信号により制御することができる。映像処理部６４０の映像処理には、例えば、画面２３０に表示される映像に対して黒画を挿入する画面修飾などが含まれる。黒画挿入は、処理対象の映像信号にゼロ信号を挿入することにより実現することができる。黒画の挿入位置としては、例えば、分割画面２１０と分割画面２２０との境界部が挙げられる。この場合、分割画面２１０に表示された映像と分割画面２２０に表示された映像とを明確に識別することが可能になる。他の例としては、画面２３０または各分割画面２１０，２２０の輪郭部などが挙げられる。境界部および輪郭部に挿入する黒画の幅は、調整可能であり、黒画幅調整により、様々な解像度およびサイズの映像を画面上２３０上に表示することができる。
【００３８】
また、映像処理部６４０は、映像処理部６１０，６２０と同様の画質調整を、指示処理部４３０から入力される指示信号に従って行うこともできる。
【００３９】
音声合成部７１０は、音声ＳＷ５１２，５２２から入力される音声信号を、ヘッドフォン出力端子２４０，２５０およびスピーカ７２０に出力する。音声合成部７１０からヘッドフォン出力端子２４０に出力される音声信号は、音声ＳＷ５１２からの音声信号、音声ＳＷ５２２からの音声信号、およびこれらの音声信号の合成により得られる音声信号のいずれかである。音声合成部７１０からヘッドフォン出力端子２５０に出力される音声信号は、音声ＳＷ５１２からの音声信号、音声ＳＷ５２２からの音声信号、およびこれらの音声信号の合成により得られる音声信号のいずれかである。音声合成部７１０からスピーカ７２０に出力される音声信号は、音声ＳＷ５１２からの音声信号、音声ＳＷ５２２からの音声信号、およびこれらの音声信号の合成により得られる音声信号のいずれかである。音声合成部７１０からどの音声出力デバイスにどの音声信号を出力すべきかについては、指示処理部４３０から入力される指示信号により制御される。また、指示信号により音声信号の合成が要求される場合、その合成割合は、指示信号に示される。
【００４０】
音声出力デバイスとしてのスピーカ７２０は、音声合成部７１０から入力される音声信号を音声として出力する。スピーカ７２０は、車室内の任意の適切な個所に設置することができる。
【００４１】
次いで、制御装置４００内のメモリ４１０に保持される各種のテーブルの設定情報について説明する。ここでは、操作権に関する設定情報および選択輝度に関する設定情報を例にとり、それぞれ図２および図３を用いて説明する。
【００４２】
図２に示す操作権設定情報において、「分割画面Ａ操作権者」は、分割画面Ａに対する操作を行う権利を付与された搭乗者を意味し、「分割画面Ｂ操作権者」は、分割画面Ｂに対する操作を行う権利を付与された搭乗者を意味する。なお、分割画面Ａは、例えば分割画面２１０であり、分割画面Ｂは、例えば分割画面２２０である。
【００４３】
分割画面Ａ操作権は、操作人１（例えば、左側後部座席に座ってリモコンを操作する搭乗者）、操作人２（例えば、右側後部座席に座ってリモコンを操作する搭乗者）または前席（例えば、運転席または助手席に座ってリモコンまたはＥＳＷを操作する搭乗者）に排他的に付与される。この設定は随時変更可能であり、分割画面Ａの操作権は、操作人１、操作人２および前席のうち複数のものに付与することもでき、全てのものに付与することもできる。
【００４４】
分割画面Ｂ操作権は、操作人１、操作人２または前席に排他的に付与される。この設定は随時変更可能であり、分割画面Ａの操作権は、操作人１、操作人２および前席のうち複数のものに付与することもでき、全てのものに付与することもできる。
【００４５】
また、本実施の形態では、本発明のより深い理解のために、「操作人１」はリモコン３１０を操作する搭乗者と仮定し、「操作人２」はリモコン３２０を操作する搭乗者と仮定し、「前席」はＥＳＷ３４０を操作する搭乗者と仮定する。よって、本実施の形態では、分割画面Ａ，Ｂの各操作権は、リモコン３１０，３２０およびＥＳＷ３４０のいずれかに付与されるものとする。操作権を付与されたリモコン３１０，３２０またはＥＳＷ３４０が、設定値としてテーブルに記録される。
【００４６】
そして、分割画面Ａの表示映像または分割画面Ｂの表示映像の制御においては、複数のコマンド入力源（例えば、リモコン３１０，３２０およびＥＳＷ３４０）のうちそれぞれの操作権を付与されたものから得られた操作コマンドのみが、指示処理部４３０において有効と判定され、操作権を付与されていないものから得られた操作コマンドは、指示処理部４３０において無効と判定される。
【００４７】
また、図３に示す選択輝度の設定情報において、「分割画面Ａ選択輝度」は、分割画面Ａに表示される映像の輝度を意味する。「分割画面Ｂ選択輝度」は、分割画面Ｂに表示される映像の輝度を意味する。
【００４８】
本実施の形態では、映像の輝度は、「高い」、「通常」および「低い」から選択することができる。選択された輝度が、設定値としてテーブルに記録される。「高い」は、所定の３段階の輝度レベルのうち最も高いものを示し、「低い」は、所定の３段階の輝度レベルのうち最も低いものを示し、「通常」は、「高い」と「低い」との中間レベルを示す。なお、輝度レベルの段階数および各輝度レベルは、必要に応じて適宜変更することができる。
【００４９】
次いで、上記構成を有するＡＶシステム１００の動作について説明する。
【００５０】
図４は、２つの分割画面のいずれかの表示映像の輝度を切り替えさせる制御を行う場合の指示処理部４３０の動作の一例を示すフロー図である。ここでは、ＣＤ／ＤＶＤデッキの映像を分割画面２１０で、ＴＶチューナ１の映像を分割画面２２０で同時に見ている搭乗者が、分割画面２１０を操作するために、リモコン３１０を使って操作を行ったと仮定する。また、分割画面２１０，２２０の双方の操作権は、操作を行った搭乗者のみに付与されているものと仮定する。
【００５１】
まず、ステップＳ１１００では、操作処理部４２０からの操作コマンドを取得する。この操作コマンドには、操作権が付与された分割画面２１０および分割画面２２０のうちどちらを制御対象として指定するかが示されている。この例では、取得された操作コマンドには、分割画面２１０を制御対象として指定する旨が示されている。
【００５２】
なお、この操作コマンドは、リモコン３１０に備えられる、制御対象である分割画面を指定するための操作ボタン３１１，３１２が押下されることにより生成される（図５参照）。この例では、操作ボタン３１１は、分割画面２１０に対応し、操作ボタン３１２は、分割画面２２０に対応するものとする。
【００５３】
そして、ステップＳ１２００では、操作コマンド、特に、操作コマンドの入力源および制御対象の分割画面を識別する。
【００５４】
より具体的には、操作コマンドにリモコン３１０の識別子が示されている場合は、その識別子を参照することにより、操作コマンドの入力源を識別することができる。この例では、リモコン３１０自体がコマンド入力源として識別される。
【００５５】
あるいは、搭乗者の着座位置を検出するための装置がＡＶシステム１００とともに用いられる場合は、その検出結果を利用することにより、コマンド入力源を識別することができる。また、受光部３３０がリモコン３１０，３２０からの赤外線信号到来方向の検出が可能な場合は、その検出結果を利用することにより、コマンド入力源を識別することができる。
【００５６】
また、指示処理部４３０は、受信した操作コマンドがどの分割画面を制御対象として指定したものであるのかを、メモリ４１０に保持されたテーブルの設定情報を参照することにより、制御対象の分割画面を識別することができる。
【００５７】
そして、ステップＳ１３００では、分割画面２１０の操作権者と分割画面２２０の操作権者とが完全に同一か否かを判定する。この判定は、具体的には、メモリ４１０が保持する操作権設定情報テーブル（図２参照）を参照することにより行われる。
【００５８】
分割画面２１０の操作権者と分割画面２２０の操作権者とが完全に同一である場合（Ｓ１３００：ＹＥＳ）、ステップＳ１４００に進む。この例では、分割画面２１０，２２０の双方の操作権が操作人１のみに付与されている場合に、ステップＳ１４００に進む。一方、分割画面２１０の操作権者と分割画面２２０の操作権者とが完全に同一でない場合（Ｓ１３００：ＮＯ）、分割画面２１０および分割画面２２０のいずれの表示映像の輝度も切り替えることなく、処理を終了する。
【００５９】
分割画面２１０の操作権者と分割画面２２０の操作権者とが完全に同一である場合にのみステップＳ１４００に進むことにより、分割画面２２０を見ている他の操作権者の意に反して分割画面２２０の輝度調整が行われることを防止することができる。
【００６０】
なお、分割画面２１０の操作権者と分割画面２２０の操作権者とが完全に同一でない場合であっても、操作人１が分割画面２１０，２２０の双方の操作権を有する場合には、ステップＳ１４００に進むようにしてもよい。
【００６１】
そして、ステップＳ１４００では、制御対象の分割画面の輝度を切り替える映像処理を指示する信号を、対応する映像処理部、この例では映像処理部６１０に出力する。この指示信号には、例えば図３に示される分割画面Ａ選択輝度の設定値を“通常”から“高い”に切り替える旨が示されている。
【００６２】
この指示信号の出力により、映像処理部６１０は、映像処理部６１０の映像信号から得られ分割画面２１０上に表示される映像の輝度を、分割画面２２０上に表示される映像の輝度よりも高くする画質調整を行う（図６（Ａ）参照）。これにより、操作を行った搭乗者（操作人１）は、２つの分割画面２１０，２２０のうち制御対象となっている分割画面を容易に識別することができるようになる。
【００６３】
なお、ステップＳ１４００では、制御対象ではない分割画面２２０上に表示される映像の輝度を制御対象の分割画面２１０上に表示される映像の輝度よりも低くする映像処理を指示する信号を、映像処理部６２０に出力するようにしてもよい。この指示信号には、例えば図３に示される分割画面Ａ選択輝度の設定値を“通常”から“低い”に切り替える旨が示されている。この場合、映像処理部６２０は、映像処理部６２０の映像信号から得られ分割画面２２０上に表示される映像の輝度を、分割画面２１０上に表示される映像の輝度よりも低くする画質調整を行う（図６（Ｂ）参照）。
【００６４】
また、ステップＳ１４００では、制御対象の分割画面２１０に表示される映像の輝度を“通常”から“高い”に切り替える旨の指示信号を映像処理部６１０に出力するとともに、制御対象でない分割画面２２０に表示される映像の輝度を“通常”から“低い”に切り替える旨の指示信号を映像処理部６２０に出力してもよい（図６（Ｃ）参照）。また、搭乗者の着座が着座センサで検知される場合、後部座席に着座者が１人である旨が検知されると、輝度調整機能が働く構成が採用されてもよい。
【００６５】
また、映像処理部６１０または映像処理部６２０が行う画質調整は、映像処理部６４０が行ってもよい。この場合、指示処理部４３０は、映像処理を指示する信号を、映像処理部６４０に出力する。
【００６６】
このように、制御対象の分割画面に表示される映像の輝度を、制御対象でない分割画面に表示される映像の輝度よりも高くすることにより、操作を行った搭乗者は、制御対象となっている分割画面を容易に識別することができるようになる。
【００６７】
図７は、前述の表示映像の輝度の切替制御の他の例を示すフロー図である。ここでは、分割画面２１０でＣＤ／ＤＶＤデッキの映像を、分割画面２２０でＴＶチューナ１の映像を、ヘッドフォンおよびスピーカのいずれも使用せずに同時に見ている搭乗者が、分割画面２２０のＴＶチューナ１から出力される音声をヘッドフォンで聞きたくなり、ヘッドフォン出力端子２５０にヘッドフォンを接続したと仮定する。また、分割画面２１０，２２０の双方の操作権は、操作を行った搭乗者のみに付与されているものと仮定する。また、分割画面２２０の表示映像とヘッドフォン出力端子２５０の出力音声とは、連動して制御することが可能であり、この例では、ヘッドフォン出力端子２５０の出力音声のソースは、ＴＶチューナ１であるとする。
【００６８】
まず、ステップＳ２１００では、一方のヘッドフォン出力端子のみにヘッドフォンが接続されているか否かを判定する。一方のヘッドフォン出力端子のみにヘッドフォンが接続されている場合（Ｓ２１００：ＹＥＳ）、ステップＳ２２００に進む。一方、一方のヘッドフォン出力端子のみにヘッドフォンが接続されていない場合（Ｓ２１００：ＮＯ）、分割画面２１０および分割画面２２０のいずれの表示映像の輝度も切り替えることなく、処理を終了する。
【００６９】
ここで、ヘッドフォン出力端子２４０，２５０へのヘッドフォンの接続は、ワイドディスプレイ２００に設けられたヘッドフォン接続検出部（図示せず）により検出される。このヘッドフォン接続検出部は、ヘッドフォン接続端子２４０，２５０のそれぞれについて、ヘッドフォンの接続を検出することができる。ヘッドフォン検出部の検出結果は、指示処理部４３０に継続的に通知される。
【００７０】
そして、ステップＳ２２００では、ヘッドフォンが接続されたヘッドフォン接続端子と同一のサブシステムを構成する分割画面、この例では分割画面２２０の輝度を切り替える映像処理を指示する信号を、対応する映像処理部、この例では映像処理部６２０に出力する。
【００７１】
この指示信号の出力により、映像処理部６２０は、映像処理部６２０の映像信号から得られ分割画面２２０上に表示される映像の輝度を、分割画面２１０上に表示される映像の輝度よりも高くする画質調整を行う（図８参照）。これにより、同時に表示されている複数の映像のうち搭乗者がより大きな関心を持っている方の映像を見易くすることができる。
【００７２】
以上のように、本実施の形態によれば、２つの分割画面に表示された映像のうち、一方の分割画面に表示される映像の輝度を他方の分割画面に表示される映像の輝度よりも高くすることができる。これにより、２つの分割画面を同時に操作する搭乗者は、制御対象の分割画面を容易に識別することができる。また、２つの分割画面を同時に見ている搭乗者は、２つの分割画面のうちより大きな関心を持っている方の映像を見易くすることができる。
【００７３】
なお、上記実施の形態において、図３に示す輝度設定テーブルの輝度の設定値に合わせて、ヘッドフォン出力端子に接続されたヘッドフォンから出力される音声の合成比を与えるようにしてもよい。例えば、分割画面２１０について設定された輝度が“高い”であり、分割画面２２０について設定された輝度が“通常”である場合、音声ＳＷ５１２から入力される音声信号を８０％、音声ＳＷ５２２から入力される音声信号を２０％の割合で合成された音声が、ヘッドフォン出力端子２４０に接続されたヘッドフォンから出力されるようにしてもよい。
【００７４】
以上、本発明の実施の形態について説明した。なお、以上の説明は本発明の好適な実施の形態の例証であり、本発明の範囲はこれに限定されない。例えば、本実施の形態では、ＡＶシステムを車載用電子機器として用いた場合について説明したが、本実施の形態のＡＶシステムを単体で用いて、狭空間に設置されユーザの操作を必要とする映像機器または音響機器に応用することもできる。また、図１に示した構成は一例であり、よって、本発明の範囲においてこの構成例の様々な変更および修正が可能であることは明らかである。
【００７５】
また、本発明の他の実施の形態として、上記実施の形態で説明したＡＶシステムの各構成要素の機能を実現させるためのプログラムを読み取り可能な記録媒体に格納し、ＣＰＵを用いてそのプログラムを実行させることにより、本発明を実施することもできる。
【産業上の利用可能性】
【００７６】
本発明の映像処理装置、映像制御装置および映像処理方法は、ＡＶシステムなどの車載機器として有用である。また、これらは車室以外での用途にも適しており、例えば、表示装置または音声出力デバイスを備え且つ狭空間内でのユーザの操作を必要とする映像機器または音響機器の用途に応用することができる。
【図面の簡単な説明】
【００７７】
【図１】本発明の一実施の形態に係るＡＶシステムの構成を示すブロック図
【図２】本発明の一実施の形態に係る操作権設定情報の一例を示す図
【図３】本発明の一実施の形態に係る選択輝度の設定情報の一例を示す図
【図４】本発明の一実施の形態に係る表示映像の輝度の切替制御の動作の一例を説明するためのフロー図
【図５】本発明の一実施の形態に係るリモコンの構成の一例を示す図
【図６】本発明の一実施の形態に係る輝度調整が行われた画面の一例を示す図
【図７】本発明の一実施の形態に係る表示映像の輝度の切替制御の動作の他の例を説明するためのフロー図
【図８】本発明の一実施の形態に係る輝度調整が行われた画面の一例を示す図
【符号の説明】
【００７８】
１００  ＡＶシステム
２００  ワイドディスプレイ
２１０、２２０  分割画面
２３０  画面
２４０、２５０  ヘッドフォン出力端子
３１０、３２０  リモコン
３１１、３１２  操作ボタン
３３０  受光部
３４０  ＥＳＷ
４００  制御装置
４２０  操作処理部
４３０  指示処理部
５００  コンテンツ入力ソース
５１０、５２０  ソースセレクタ
６００  映像処理装置
６１０、６２０、６４０  映像処理部
６３０  映像合成部
７１０  音声合成部
７２０  スピーカ
【図１】
2007295047.tif 000003
【図２】
2007295047.tif 000004
【図３】
2007295047.tif 000005
【図４】
2007295047.tif 000006
【図５】
2007295047.tif 000007
【図６】
2007295047.tif 000008
【図７】
2007295047.tif 000009
【図８】
2007295047.tif 000010